(57)【特許請求の範囲】
【請求項１】
車体の床面に固定されたロアレールと、該ロアレールにスライド自在に装着されたアッパレールと、該アッパレールの内部に設けられロアレールに対してアッパレールを固定するためのスライドロック機構と、
前記ロアレールの内底部に固定され前記ロアレールの長手方向に定ピッチで形成された切欠部を有するポジションメモリー用部品と、該ポジションメモリー用部品に沿ってスライド可能に設けられたメモリーベースと、該メモリーベースに揺動可能に設けられ一端部に前記切欠部と係脱可能な係合爪を有するメモリープレートと、前記係合爪が前記切欠部に係合する方向へ前記メモリープレートを付勢するばねと、
前記アッパレールに回動自在に支持され、揺動上端部がウォークインケーブルを介してシートバックに連結され揺動下端部が前記アッパレールの内部で前記スライドロック機構のラッチ解除用ロッドを押圧操作可能なメモリー部解除レバーと、
前記アッパレールに回動自在に支持され、前記メモリープレートの他端部を押して前記ばねの付勢力に抗して前記係合爪を前記切欠部から脱出させる押圧部と、該押圧部より車体前方に形成されて前記メモリーベースの車体前方側端部に設けたストッパー部に当接可能な係合部とを形成した蹴倒し用プレートと、
前記蹴倒し用プレートを前記押圧部が前記メモリープレートの他端部に当接する当接位置から当接しない脱出位置へ向かうように付勢しかつ前記メモリー部解除レバーを前記メモリー部解除レバーの揺動下端部が前記ラッチ解除用ロッドから外れる方向へ向って付勢するメモリーばねと、
前記メモリー部解除レバーの揺動上端部に設けられたピンと、前記蹴倒し用プレートに形成され前記ピンが摺接して前記蹴倒し用プレートが前記脱出位置へ回動するのを規制し前記ウォークインケーブルが引かれると該ピンが移動して前記蹴倒し用プレートが前記脱出位置へ回動するのを許容するカム部とを備え、
前記メモリー部解除レバーの前記揺動下端部が前記ラッチ解除用ロッドから外れた位置にあるときは、前記蹴倒し用プレートの押圧部が前記メモリープレートの他端部を押すことにより、前記係合爪を前記切欠部から脱出させかつ前記メモリーベースを前記蹴倒し用プレートに連結させて前記メモリーベースを前記アッパレールと一体となってスライド可能にし、
前記シートバックが倒されて前記ウォークインケーブルが引かれると、前記メモリー部解除レバーの前記揺動下端部が前記ラッチ解除用ロッドを押してスライドロック機構がロック解除され、前記蹴倒し用プレートの前記カム部が前記メモリー部解除レバーのピンに係合して前記メモリー部解除レバーがロック解除位置で保持される一方、前記蹴倒し用プレートの押圧部が前記メモリープレートの他端部から離れることにより、前記蹴倒し用プレートが前記メモリーベースから離れてアッパレールと共に車体前方へ移動し、前記メモリープレートの係合爪は前記ばねの付勢力により前記切欠部に係合し、前記メモリーベースはその位置でメモリーオンされ、
車体前方へ移動したアッパレールを後退させると、前記メモリーオンされた前記メモリーベースのストッパー部に蹴倒し用プレートの係合部が当接して蹴倒し用プレートがメモリーばねの付勢力に抗して回動し、蹴倒し用プレートの押圧部が前記メモリープレートの他端部に係合する前記係合位置へ回動すると共に前記ピンが前記カム部から外れて前記メモリー部解除レバーが回動し、揺動下端部が前記ラッチ解除用ロッドから外れてスライドロック機構がロックすることを特徴とするメモリー付きウォークインロック機構を備えたシートスライド装置。
【請求項２】
前記蹴倒し用プレートは、前記アッパレールの上部に回動可能に支持されてアッパレールの開口部から内方へ垂下しており、該蹴倒し用プレートの揺動下端部側は２つに分かれて略Ｖ字状に形成され、車体前側には前記メモリーベースのストッパー部に当接可能な前記係合部が形成され、車体後側には前記メモリープレートの他端側に当接可能な前記押圧部が形成されていることを特徴とする請求項１に記載のメモリー付きウォークインロック機構を備えたシートスライド装置。
【発明の詳細な説明】
【技術分野】
【０００１】
この発明は車両のシートスライド装置におけるメモリー機構に係り、特に乗員の後席への乗り降りの際、前席シートのシートバックの前倒しに連動してシートスライドのロックが解除し、シート全体が前進するウォークイン機構を装備したものに関する。
【背景技術】
【０００２】
メモリー付きウォークインロック機構を備えたシートスライド装置は、後席乗員が乗り降りする都度、前席乗員が設定していたシートの最適位置が変化しないように、既に設定した位置を機構的に記憶させるメモリー機構を備えたものであり、例えば、下記特許文献１にも開示されている。
【特許文献１】特開２００４−２４９８６２
【発明の開示】
【発明が解決しようとする課題】
【０００３】
従来のものは、ロックオン・オフの規制をする構造を取り、ロックレバーをロック解除位置に保持するオープン部材やキープ部材、及び、位置を記憶させるメモリ部材や係止部材を設けている。しかしながら、これらのメモリー構造を設けるために大きなスペースを必要とするため、従来は、これらのメモリー構造をロアレールの側部や上部に設けている。そのため、アッパレールやロアレールの周囲にメモリー構造を配置するスペースが必要となり、使用できるレイアウトが限定される。特に、最近はロアレールをフロアに埋設したり、シートクッションとフロアの間が狭い場合などには使用できないという不都合がある。
【０００４】
そこで、この発明は、上記不都合を解決し得るメモリー付きウォークインロック機構を備えたシートスライド装置を提供する。
【課題を解決するための手段】
【０００５】
そこで、上記目的を達成するため、請求項１に記載の本発明は、車体の床面に固定されたロアレールと、該ロアレールにスライド自在に装着されたアッパレールと、該アッパレールの内部に設けられロアレールに対してアッパレールを固定するためのスライドロック機構と、前記ロアレールの内底部に固定され前記ロアレールの長手方向に定ピッチで形成された切欠部を有するポジションメモリー用部品と、該ポジションメモリー用部品に沿ってスライド可能に設けられたメモリーベースと、該メモリーベースに揺動可能に設けられ一端部に前記切欠部と係脱可能な係合爪を有するメモリープレートと、前記係合爪が前記切欠部に係合する方向へ前記メモリープレートを付勢するばねと、前記アッパレールに回動自在に支持され、揺動上端部がウォークインケーブルを介してシートバックに連結され揺動下端部が前記アッパレールの内部で前記スライドロック機構のラッチ解除用ロッドを押圧操作可能なメモリー部解除レバーと、前記アッパレールに回動自在に支持され、前記メモリープレートの他端部を押して前記ばねの付勢力に抗して前記係合爪を前記切欠部から脱出させる押圧部と、該押圧部より車体前方に形成されて前記メモリーベースの車体前方側端部に設けたストッパー部に当接可能な係合部とを形成した蹴倒し用プレートと、前記蹴倒し用プレートを前記押圧部が前記メモリープレートの他端部に当接する当接位置から当接しない脱出位置へ向かうように付勢しかつ前記メモリー部解除レバーを前記メモリー部解除レバーの揺動下端部が前記ラッチ解除用ロッドから外れる方向へ向って付勢するメモリーばねと、前記メモリー部解除レバーの揺動上端部に設けられたピンと、前記蹴倒し用プレートに形成され前記ピンが摺接して前記蹴倒し用プレートが前記脱出位置へ回動するのを規制し前記ウォークインケーブルが引かれると該ピンが移動して前記蹴倒し用プレートが前記脱出位置へ回動するのを許容するカム部とを備え、前記メモリー部解除レバーの前記揺動下端部が前記ラッチ解除用ロッドから外れた位置にあるときは、前記蹴倒し用プレートの押圧部が前記メモリープレートの他端部を押すことにより、前記係合爪を前記切欠部から脱出させかつ前記メモリーベースを前記蹴倒し用プレートに連結させて前記メモリーベースを前記アッパレールと一体となってスライド可能にし、前記シートバックが倒されて前記ウォークインケーブルが引かれると、前記メモリー部解除レバーの前記揺動下端部が前記ラッチ解除用ロッドを押してスライドロック機構がロック解除され、前記蹴倒し用プレートの前記カム部が前記メモリー部解除レバーのピンに係合して前記メモリー部解除レバーがロック解除位置で保持される一方、前記蹴倒し用プレートの押圧部が前記メモリープレートの他端部から離れることにより、前記蹴倒し用プレートが前記メモリーベースから離れてアッパレールと共に車体前方へ移動し、前記メモリープレートの係合爪は前記ばねの付勢力により前記切欠部に係合し、前記メモリーベースはその位置でメモリーオンされ、車体前方へ移動したアッパレールを後退させると、前記メモリーオンされた前記メモリーベースのストッパー部に蹴倒し用プレートの係合部が当接して蹴倒し用プレートがメモリーばねの付勢力に抗して回動し、蹴倒し用プレートの押圧部が前記メモリープレートの他端部に係合する前記係合位置へ回動すると共に前記ピンが前記カム部から外れて前記メモリー部解除レバーが回動し、揺動下端部が前記ラッチ解除用ロッドから外れてスライドロック機構がロックすることを特徴とする。
また、請求項２に記載の発明は、前記蹴倒し用プレートは、前記アッパレールの上部に回動可能に支持されてアッパレールの開口部から内方へ垂下しており、該蹴倒し用プレートの揺動下端部側は２つに分かれて略Ｖ字状に形成され、車体前側には前記メモリーベースのストッパー部に当接可能な前記係合部が形成され、車体後側には前記メモリープレートの他端側に当接可能な前記押圧部が形成されていることを特徴とする。
【発明の効果】
【０００６】
メモリー機構を構成するポジションメモリー用部品とメモリープレートを有するメモリーベースをロアレールの内底部に設置できるため、ロアレールの外部に大きなスペースを必要としない。そのため、幅方向のスペースが狭いレイアウトにおいてもロック復帰位置記憶（フルメモリー）機構を搭載できる。しかも、主ロック機構と共にメモリー機構をアッパレール内に設けることにより、異物が干渉して誤作動するおそれがない。
【発明を実施するための最良の形態】
【０００７】
この発明を図示の実施例に基づき説明する。図１はこの発明を実施したシートスライド装置の平面図、図２はその中央縦断面側面図、図３はこの発明の要部であるメモリーユニットの断面正面図であり、車体側に固定するロアレール１に、シート側に固定するアッパレール２がスライド部材３を介在して長手方向で前後両方向へ移動可能に係合している。
【０００８】
ロアレール１は、断面が上向きの略コ字状を有し、その両端部には、内向きで内方に屈曲した下向屈曲部を有する。アッパレール２は、断面が下向きの略コ字状を有し、その両端部には、外向きで外方に屈曲した上向屈曲部を有する。スライド部材３は、ロアレール１とアッパレール２の間で転動する複数のスライドボールとこのスライドボールを位置決めするリテーナよりなる。
【０００９】
ロアレール１の内底部には長手方向へポジションメモリー用部品４が固定されている。ロアレール１の下向屈曲部には、図４に示すように、シートの位置を固定するための主ロック用穴５が定ピッチで長手方向に設けられ、アッパレール２の内部に長手方向の軸線回りに回動可能に支持されたラッチ解除用ロッド４０に設けた主ロック用爪６が内方からアッパレール２に設けたロック用孔を貫通して出入り可能に設けられてスライドロック機構が構成される。ラッチ解除用ロッド４０は、両端部にクランク型を有するクランク型部４０ａ，４０ｂが形成され、アッパレール２にリベット４１で固定したブラケット４５に、クランク型部４０ａ，４０ｂの間において軸中心で回転自在に支持されるとともに、主ロック用爪６が主ロック用穴５に係合するように、ばね４６でロック方向に回転付勢されている。なお、このラッチ解除用ロッド４０のクランク型部４０ｂはメモリーユニット側へ延伸すると共に、クランク型部４０ａはシートの前部下側方向へ延伸し、該クランク型部４０ａはアッパレール２の上部にリベット４１で固定したブラケット４２に回動可能に支持した操作部材４７に設けた作動部４８により回転操作される。なお、操作部材４７は操作ハンドル４３が接続されて上方に持ち上げることで操作部材４７を操作する。
【００１０】
ポジションメモリー用部品４は、図５に示すように、定ピッチで爪部７と切欠部８とが交互に形成された長尺板金からなり、爪部７は幅方向で互いに内向きに対面する断面コ字型をしている。このポジションメモリー用部品４には、メモリーベース９が長手方向へスライド可能に係合している。メモリーベース９は、図６に示すように、ポジションメモリー用部品４の爪部７を嵌合する溝１０が両側面に形成された方形の、平面視コ字型のブロックからなり、その内部に、メモリープレート１２がシーソー状態で揺動可能に係合し、かつ、ばね１３でこのメモリープレート１２に設けた係合爪１５が切欠部８と係合する方向へ回転付勢され、また、車体前方側の前面に所要高さで突出するストッパー部１１が形成されている。メモリープレート１２は車体前方側の揺動側一端部に突起部１４が形成され、また、揺動側他端部には前記切欠部８に係脱するように上下動する両翼状の係合爪１５が形成されている。
したがって、メモリーベース９は、メモリープレート１２の突起部１４が設けられた揺動側一端部にロアレール１側へ押す力が加わらないときは、メモリープレート１２がばね１３で回転付勢されてその係合爪１５が爪部７間の切欠部８内に入り込むので、メモリーベース９はポジションメモリー用部品４の長手方向へ移動することは出来ない。しかし、突起部１４が設けられた揺動側一端部にばね１３の付勢力に抗する押圧力が加わると、係合爪１５は切欠部８から爪部７の上方へ脱出するので、メモリーベース９はポジションメモリー用部品４の長手方向へ移動することが出来る。
【００１１】
また、アッパレール２の上面で前記スライドロック機構の後部側には、メモリーブラケット１６がリベット１７，４１で固定され、このメモリーブラケット１６に軸１８，１９でそれぞれ回転自在に支持されるメモリー部解除レバー２４と蹴倒し用プレート２５が、メモリーブラケット１６に形成した上向きの開口部２０と、これと合致してアッパレール２の上面に開設された開口部２１からアッパレール２内に垂下して揺動可能に支持されている。メモリー部解除レバー２４は、その揺動上端部に図示しないシートバックの前倒しにより引かれるウォークインケーブル２７のワイヤエンド２８を係合するピン２３が突設され、このピン２３と軸１８間で側部には係止部２９が形成されている。また、メモリー部解除レバー２４の揺動下端部２４ａは前記ラッチ解除用ロッド４０の前記クランク型部４０ｂに当接してそのラッチ解除用ロッド４０をその軸中心で回動させることができるように曲げ形成してある。
【００１２】
蹴倒し用プレート２５は、その揺動上端部側に前記ピン２３が摺接するカム部２６が形成され、また、その揺動下端部側は二つに分かれて略Ｖ字状に形成され、その前側に位置する係合部３２は前記メモリーベース９のストッパー部１１に当接可能に、また、後側の押圧部３３はメモリープレート１２の突起部１４の側部に位置する上面に当接可能である。そして、この蹴倒し用プレート２５には、軸１９の下部で係止部３４が形成され、この係止部３４とメモリー部解除レバー２４の係止部２９との間にはメモリーばね３５が連結されている。したがって、ウォークインケーブル２７が図２中矢示方向へ引かれると、メモリー部解除レバー２４は軸１８を中心として時計回りに回動し、ピン２３がカム部２６から外れることでメモリーばね３５の力により蹴倒し用プレート２５が軸１９を中心として反時計回りに回動することができる。
【００１３】
ところで、メモリーオフの状態では、メモリー部解除レバー２４と蹴倒し用プレート２５は、図２に示す状態にあり、蹴倒し用プレート２５の押圧部３３はメモリープレート１２の突起部１４の側部に位置する上面に当接していて、メモリープレート１２の係合爪１５が切欠部８から爪部７の上方へ脱出している。また、この押圧部３３の先端はメモリーベース９の上面及びメモリープレート１２の軸より内方に入っている。したがって、メモリーベース９は、蹴倒し用プレート２５を介してメモリーブラケット１６と連結されてアッパレール２と一体化し、アッパレール２が移動するとメモリーベース９も長手方向へ移動する。
【００１４】
そこで、図７に示すように、シートバックを倒す等の動きに連動してウォークインケーブル２７が矢示方向へ引かれると、メモリー部解除レバー２４が軸１８を中心として時計回りに回動し、同時にその揺動下端部２４ａがラッチ解除用ロッド４０のクランク型部４０ｂを押し上げて回動させて主ロック用爪６を主ロック用穴７から外すとともに、ピン２３がカム部２６からはずれることでメモリーばね３５の力により、蹴倒し用プレート２５が軸１９を中心として反時計回りに回動する。そして、ピン２３が蹴倒し用プレート２５のカム部２６の端面に係合することでメモリー部解除レバー２４がその位置で保持され、クランク型部４０ｂが押し上げられた状態に保持さされるので、スライドのロック解除状態が保持される。蹴倒し用プレート２５の押圧部３３は前記メモリープレート１２の突起部１４の側部に位置する上面から離れ、同時に、係合部３２は端面がストッパー部１１と平行に対向する位置に回動する。
【００１５】
そのため、メモリープレート１２はばね１３の力で回転してその係合爪１５が爪部７間の切欠部８内に入り込むので、メモリーベース９は、ポジションメモリー用部品４の長手方向へ移動することは出来ず、その位置でメモリーオンが達成される。そこで、図８に示すように、アッパレール２は図示しないウォークインスプリングによって前方側へ移動するため、シートは車体前方側へ移動し、後席乗員は乗り降りができることとなる。
【００１６】
後席乗員が乗り降りした後、シートバックを引き起こし、シートを元の状態に戻すべく、シートを後退させると、図９に示すように、蹴倒し用プレート２５の係合部３２がメモリーベース９のストッパー部１１に当接することで蹴倒し用プレート２５は軸１９を中心として時計回りに回動する。これにより、ピン２３がカム部２６の端面から外れるまで蹴倒し用プレート２５が時計方向に回転する。このとき、押圧部３３は係合爪１５が切欠部８から外れるまでメモリープレート１２を押していない。そして、ピン２３がカム部２６の端面からはずれることで、メモリーばね３５の力によりメモリー部解除レバー２４が軸１８を中心として反時計回りに回動し、メモリー部解除レバー２４の揺動下端部２４ａがラッチ解除用ロッド４０のクランク型部４０ｂから外れるとともに、カム部２６のカム作用により蹴倒し用プレート２５を更に回動して押圧部３３がメモリープレート１２の突起部１４の側部に位置する上面を押圧して係合爪１５が切欠部８から外れることにより、作動前の位置で再びメモリーベース９がアッパレール２と一体化し、メモリー機構がメモリーオフの状態に戻る。すなわち、ラッチ解除用ロッド４０のクランク型部４０ｂは付勢されたばね４６の力により軸中心で回動して元の状態に復帰し、主ロック用爪６が主ロック用穴７に進入し、アッパレール２はロアレール１に元位置でロック固定される。
なお、前席乗員が交代等で変わる場合には、スライドロック機構の操作ハンドル４３を回転操作して主ロック用爪６を主ロック用穴５から外してシートを適宜に前後させると、蹴倒し用プレート２５の押圧部３３はメモリーベース９とメモリープレート１２の間に挟まるようになっているため、メモリーベース９は蹴倒し用プレート２５の押圧部３３に押されてアッパレール２と一体で移動する。したがって、メモリーベース９は、メモリープレート１２と蹴倒し用プレート２５を介してメモリーブラケット２１と連結されアッパレール２と一体化して（図２参照）、ポジションメモリー用部品４の長手方向へ移動することが出来るために、交替する乗員の任意の位置に移動できて、新しいポジションを設定できることになる。
【図面の簡単な説明】
【００１７】
【図１】この発明を実施したシートスライド装置のアッパレールとロアレールを示す平面図である。
【図２】図１の中央縦断側面図である。
【図３】メモリーユニットの縦断面図である。
【図４】主ロック爪を供えたスライドロック機構部の縦断面図である。
【図５】ポジションメモリー用部品の斜視図である。
【図６】メモリーベースとメモリープレートの斜視図である。
【図７】図２のメモリーオフ状態からメモリーオン状態に移るメモリーユニットの作用説明図である。
【図８】メモリーオン状態におけるメモリーユニットの作用説明図である。
【図９】ロック復帰時におけるメモリーユニットの作用説明図である。
【符号の説明】
【００１８】
１…ロアレール
２…アッパレール
４…ポジションメモリー用部品
６…主ロック用爪
８…切欠部
９…メモリーベース
１１…ストッパー部
１３，４６…ばね
１５…係合爪
２０，２１…開口部
２３…ピン
２４…メモリー部解除レバー
２４ａ…揺動下端部
２５…蹴倒し用プレート
２６…カム部
２７…ウォークインケーブル
３２…係合部
３３…押圧部
３５…メモリーばね
４０…ラッチ解除用ロッド
４０ａ，４０ｂ…クランク型部
【図１】
0004499595.tif 000002
【図２】
0004499595.tif 000003
【図３】
0004499595.tif 000004
【図４】
0004499595.tif 000005
【図５】
0004499595.tif 000006
【図６】
0004499595.tif 000007
【図７】
0004499595.tif 000008
【図８】
0004499595.tif 000009
【図９】
0004499595.tif 000010